(57)【要約】      （修正有）【課題】作動の変化を増やすことができ、実用性が向上した電動ベッドの折り畳み連動構造を提供する。【解決手段】横棒１１の二つの摺動柱１３の間において、同じ方向に二つの枢着部１４が形成されるベッドフレーム１０と、ベッドフレームに結合され、一端に向かって、順に中段ベッド板２１と下段ベッド板２２が枢着され、上記下段ベッド板の可動端２２１に、摺動可能に摺動柱に設置される二つの摺動部品２３があり、二つの摺動部品の内側において、係合部２４が形成される組立てベッド板２０と、結合段３１の両端が、二つの支持段３２に湾曲されてＵ形状の棒体であり、支持段の末端から外へ湾曲されて回転端３３が形成され、上記回転端が、ベッドフレームの枢着部に挿設され、結合段が、下段ベッド板の係合部に係合され、連動部材３０の連結変化により、下段ベッド板の持ち上げ角度が変化され、その変化性が増加される連動部材が含まれる。【選択図】図２
0003158322.tif 000002
【実用新案登録請求の範囲】
【請求項１】
ベッドフレームと組立てベッド板及び連動部材を含む電動ベッドの折り畳み連動構造であって、
ベッドフレームは、一端に、横棒が設置され、横棒から末端にあるベッドフレーム枠へ向かって二つの摺動柱が伸び、上記横棒の二つの摺動柱の間において、同じ方向に二つの枢着部が形成され、
組立てベッド板は、組立てベッド板とベッドフレームに結合され、一端に向かって、順に中段ベッド板と下段ベッド板が枢着され、上記下段ベッド板の可動端に、摺動可能に摺動柱が設置される二つの摺動部品を有し、二つの摺動部品よりも内側において、係合部が形成され、
連動部材は、結合段の両端が、二つの支持段に湾曲されたＵ形状の棒体であり、支持段の末端から外へ湾曲されて回転端が形成され、該回転端が、ベッドフレームの枢着部に挿設され、結合段が、下ベッド板の係合部に係合され、連動部材の連結変化により、下ベッド板の持ち上げ角度が変化し、その変化が漸増することを特徴とする電動ベッドの折り畳み連動構造。
【請求項２】
前記ベッドフレームは、横棒方向の末端にあるベッドフレーム枠に、当接柱が突出し、該当接柱が、相対的に、連動部材の結合段の下端に設置されることを特徴とする請求項１に記載の電動ベッドの折り畳み連動構造。
【請求項３】
前記ベッドフレームは、組立てベッド板の下端に、双モーター構造の駆動部材が固定され、上記駆動部材が該駆動部材の両端に、それぞれ、持ち上げ部材と揺動部材が接続され、該持ち上げ部材と揺動部材が、それぞれ、スピンドルと回転棒とにより、ベッドフレームに枢着されることを特徴とする請求項１に記載の電動ベッドの折り畳み連動構造。
【請求項４】
前記ベッドフレームは、組立てベッド板の下端に、銃型モーター構造である駆動部材が枢着され、両端に、モーター端と伸縮端が形成されることを特徴とする請求項１に記載の電動ベッドの折り畳み連動構造。
【請求項５】
前記駆動部材はモーター端が、ベッドフレームの中央に枢着され、中段ベッド板端に向かって、伸縮端が伸び、伸縮端で、中段ベッド板に形成されたクランクに接続されることを特徴とする請求項４に記載の電動ベッドの折り畳み連動構造。
【請求項６】
前記駆動部材はモーター端が、ベッドフレームの横棒に枢着され、中段ベッド板端に向かって、伸縮端が伸び、伸縮端で、中段ベッド板に形成されたクランクに接続されることを特徴とする請求項４に記載の電動ベッドの折り畳み連動構造。
【考案の詳細な説明】
【技術分野】
【０００１】
本考案は、電動ベッドの折り畳み連動構造に関し、より詳しくは、連動部材と下ベッド板とを連結することにより、下ベッド板の持ち上げ形態を変化することができる電動ベッドの折り畳み連動構造に関する。
【背景技術】
【０００２】
従来の電動ベッド構造は、一般のベッドは、平らに横たわるだけであったが、従来構造によれば、上記電動ベッドに横たわる時に両段式下ベッド板の持ち上げで、下半身（脚）を持ち上げる効果が得られる。また、両段式の下段ベッド板に、更に、制限棒が枢着され、その一つの下段ベッド板が持ち上げられた時、もう一つの下段ベッド板が、制限棒によって制限さるようにすれば、下段ベッド板とベッドフレームとが、四角形に類似する断面を形成するが、脚持ち上げ形態が一種類だけで変化に乏しい。
【０００３】
そのベッドフレームに、電動モーターが実装され、電動モーターに、推し棒が結合され、上記推し棒のもう一端が、ベッド板の底端に枢着され、電動モーターで、推し棒が連動されて、ベッド板端を推す時、連接棒で動力を伝達することにより、ベッド板の持ち上げ作動が行われ、ベッド板の仰角を調整できるようにしている。
【０００４】
本考案者は、上記欠点を解消するため、組立てベッド板と連動部材の構成を鋭意検討することにより、中段ベッド板と下段ベッド板及びベッドフレームの上平面による側面が、三角状形態や四辺状に類似する形態になる
ことを見出して本考案を完成した。
【考案の開示】
【考案が解決しようとする課題】
【０００５】
本考案の課題は、連動部材と下ベッド板とが連接するか否かによらず、下ベッド板の持ち上げ形態を変化でき、脚を持ち上げ作動の変化を増やすことができ、実用性が向上した電動ベッドの折り畳み連動構造を提供することにある。
【課題を解決するための手段】
【０００６】
請求項１の考案によれば、
ベッドフレームと組立てベッド板及び連動部材を含む電動ベッドの折り畳み連動構造であって、ベッドフレームは、一端に、横棒が設置され、横棒から末端にあるベッドフレーム枠へ向かって二つの摺動柱が伸び、上記横棒の二つの摺動柱の間において、同じ方向に二つの枢着部が形成され、
組立てベッド板は、組立てベッド板とベッドフレームに結合され、一端に向かって、順に中段ベッド板と下段ベッド板が枢着され、上記下段ベッド板の可動端に、摺動可能に摺動柱が設置される二つの摺動部品を有し、二つの摺動部品よりも内側において、係合部が形成され、
連動部材は、結合段の両端が、二つの支持段に湾曲されたＵ形状の棒体であり、支持段の末端から外へ湾曲されて回転端が形成され、該回転端が、ベッドフレームの枢着部に挿設され、結合段が、下ベッド板の係合部に係合され、連動部材の連結変化により、下ベッド板の持ち上げ角度が変化し、その変化が漸増することを特徴とする電動ベッドの折り畳み連動構造が提供される。
【０００７】
請求項２の考案によれば、
前記ベッドフレームは、横棒方向の末端にあるベッドフレーム枠に、当接柱が突出し、該当接柱が、相対的に、連動部材の結合段の下端に設置されることを特徴とする請求項１に記載の電動ベッドの折り畳み連動構造が提供される。
【０００８】
請求項３の考案によれば、
前記ベッドフレームは、組立てベッド板の下端に、双モーター構造の駆動部材が固定され、上記駆動部材が該駆動部材の両端に、それぞれ、持ち上げ部材と揺動部材が接続され、該持ち上げ部材と揺動部材が、それぞれ、スピンドルと回転棒とにより、ベッドフレームに枢着されることを特徴とする請求項１に記載の電動ベッドの折り畳み連動構造が提供される。
【０００９】
請求項４の考案によれば、
前記ベッドフレームは、組立てベッド板の下端に、銃型モーター構造である駆動部材が枢着され、両端に、モーター端と伸縮端が形成されることを特徴とする請求項１に記載の電動ベッドの折り畳み連動構造が提供される。
【００１０】
請求項５の考案によれば、
前記駆動部材はモーター端が、ベッドフレームの中央に枢着され、中段ベッド板端に向かって、伸縮端が伸び、伸縮端で、中段ベッド板に形成されたクランクに接続されることを特徴とする請求項４に記載の電動ベッドの折り畳み連動構造が提供される。
【００１１】
請求項６の考案によれば、
前記駆動部材はモーター端が、ベッドフレームの横棒に枢着され、中段ベッド板端に向かって、伸縮端が伸び、伸縮端で、中段ベッド板に形成されたクランクに接続されることを特徴とする請求項４に記載の電動ベッドの折り畳み連動構造が提供される。
【考案の効果】
【００１２】
本考案によれば、連動部材と下ベッド板とが連接するか否かによらず、下ベッド板の持ち上げ形態を変化でき、脚を持ち上げ作動の変化を増やすことができるので、実用性が向上した電動ベッドの折り畳み連動構造を提供することができる。
【図面の簡単な説明】
【００１３】
【図１】本考案の立体組立て図である。
【図２】本考案の連動系の立体分解図である。
【図３】本考案の側面図である。
【図４】本考案の一種類の脚持ち上げ状態の側面作動図である。
【図５】本考案の連動部材が脱離する作動の概念図である。
【図６】本考案の他の種類の脚持ち上げ状態の側面作動図である。
【図７】本考案の他の実施形態の作動概念図（一）である。
【図８】本考案の他の実施形態の作動概念図（二）である。
【考案を実施するための最良の形態】
【００１４】
以下、図面を参照しながら、本考案の特徴や技術内容について、詳しく説明するが、それらの図面等は、参考や説明のためであり、本考案は、それによって限定されるものではない。
【００１５】
図１乃至図３を参照しながら、本考案の具体例を説明する。
【００１６】
本考案は、ベッドフレーム１０と組立てベッド板２０及び連動部材３０から構成されている。ベッドフレーム１０は、一端に、横棒１１が設置され、横棒１１から末端にあるベッドフレーム枠１２に向かって二つの摺動柱１３が伸び、上記横棒１１の二つの摺動柱１３の間において、同じ方向に二つの枢着部１４が形成されている。
【００１７】
組立てベッド板２０は、ベッドフレーム１０に結合され、一端に向かって、順に中段ベッド板２１と下ベッド板２２が枢着され、上記下ベッド板２２の可動端２２１に、摺動可能に摺動柱１３に設置される二つの摺動部品２３があり、二つの摺動部品２３よりも内側において、係合部２４が形成されている。
【００１８】
また、上記ベッドフレーム１０の組立てベッド板２０の下端に、駆動部材１５が固定されており、上記駆動部材１５は、双モーター構造であり、両端に、それぞれ、持ち上げ部材１６と揺動部材１７が連接されている。上記持ち上げ部材１６と揺動部材１７は、それぞれ、スピンドル１６１と回転棒１７１により、ベッドフレーム１０に枢着されている。その持ち上げ部材１６は、スピンドル１６１の一端に、推し部１６２が形成され、組立てベッド板２０の下ベッド板２２の他端に、上ベッド板２５が枢着され、推し部１６２が、上ベッド板２５の底端に当接している。揺動部材１７は、回転棒１７１から、スイングアーム１７２が突出するように、スイングアーム１７２により、中段ベッド板２１の底端に連接されている。
【００１９】
連動部材３０は、結合段３１の両端が、二つの支持段３２に湾曲されてＵ字形状となった棒体であり、支持段３２の末端から外へ湾曲された回転端３３が形成されている。該回転端３３が、ベッドフレーム１０の枢着部１４に挿設され、結合段３１が、下ベッド板２２の係合部２４に係合され、上記ベッドフレーム１０は、横棒１１方向の末端にあるベッドフレーム枠１２に、当接柱１２１が突出し、該当接柱１２１が、相対的に、連動部材３０の結合段３１の下端に設置されている。連動部材３０の連結が変化することにより、下ベッド板２２の仰角（持ち上げ角度）が変化し、その変化が増加する。
【００２０】
本考案によれば、図２と図４のように、その連動部材３０が、回転端３３により、ベッドフレーム１０の枢着部１４に枢着されており、結合段３１により、下ベッド板２２の係合部２４に係合されるため、駆動部材１５によって揺動部材１７が連動されて回転する時、上記揺動部材１７のスイングアーム１７２は、回転棒１７１を軸心として、中段ベッド板２１の底端に当接し、中段ベッド板２１が、単辺が持ち上げられる作動を行う。
【００２１】
また、中段ベッド板２１に枢着された下段ベッド板２２が、連動して、同じ方向に摺動する。この時、下段ベッド板２２の可動端２２１が、連動部材３０によって制限されて、連動部材３０の結合段３１を引き上げ、連動部材３０が、回転端３３を軸心として、上方へ転動し、これにより、下段ベッド板２２が、平坦状に、持ち上げられる。  
【００２２】
また、連動部材３０の支持段３２で、下段ベッド板２２の可動端２２１を支持する。即ち、中段ベッド板２１と下ベッド板２２、連動部材３０及びベッドフレーム１０の上平面からなる側面が四角形に類似する形態になり、これにより、一種の脚持ち上げ状態が実現される。
【００２３】
また、他の脚持ち上げ状態を、図５と図６で説明すると、手動で、下段ベッド板２２の可動端２２１を持ち上げる場合、そのベッドフレーム１０の枢着部１４と下ベッド板２２の係合部２４との相対距離が大きくなるため、連動部材３０の結合段３１が、下ベッド板２２の係合部２４から脱離し、また、脱離状態の連動部材３０が、結合段３１により、ベッドフレーム１０の当接柱１２１に位置し、この時、駆動部材１５により揺動部材１７が連動されて持ち上げ作動を行うと、揺動部材１７が、スイングアーム１７１で、中段ベッド板２１を持ち上げ、下段ベッド板２２が、中段ベッド板２１によって連動され、下段ベッド板２２が、単辺持ち上げ作動を行う。下ベッド板２２の可動端２２１が、連動部材３０によって制限されないため、摺動部品２３だけが、摺動柱１３に沿って、駆動部材１５端へ摺動する。
【００２４】
即ち、中段ベッド板２１と下段ベッド板２２及びベッドフレーム１０の上平面からなる側面が、三角形態になり、そのため、連動部材３０と下ベッド板２２との連接するか否かによらず、下段ベッド板２２の持ち上げ形態を変化でき、そのため、脚持ち上げ作動の変化が増えて、実用性が向上する。
【００２５】
本考案の他の実施態様によれば、図７と図８のように、駆動部材１５Ａを、銃型モーター（単モーター）とする。両端に、モーター端１５１と伸縮端１５２とが形成された駆動部材１５Ａのモーター端１５１が、ベッドフレーム１０の下端に枢着され、駆動部材１５Ａの伸縮端１５２が、中段ベッド板２１に形成されたクランク２１１に連接される。
【００２６】
これにより、駆動部材１５Ａにより、中段ベッド板２１が連動されて、持ち上げの作動を行う。具体的な駆動方式は、上記駆動部材１５Ａのモーター端１５１が、ベッドフレーム１０の中央に枢着され、中段ベッド板２１端へ向かって伸縮端１５２が伸び、伸縮端１５２で、クランク２１１に連接されているものであり、駆動部材１５Ａが伸びる場合、上記伸縮端１５２で、中段ベッド板２１のクランク２１１を推進し、即ち、中段ベッド板２１が、持ち上げ作動を行う方式である。
【００２７】
もう一種類の駆動方式は、上記駆動部材１５Ａのモーター端１５１が、ベッドフレーム１０の横棒１１に枢着され、中段ベッド板２１端へ伸縮端１５２が伸び、伸縮端１５２が、クランク２１１に連接されており、駆動部材１５Ａが短縮する場合、上記伸縮端１５２で、中段ベッド板２１のクランク２１１を引っ張り、即ち、中段ベッド板２１が、持ち上げ作動を行う方式である。
【００２８】
以上は、本考案の好ましい実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００２９】
１０    ベッドフレーム
１１    横棒
１２    ベッドフレーム枠
１２１  当接柱
１３    摺動柱
１４    枢着部
１５    駆動部材
１５Ａ  駆動部材
１５１  モーター端
１５２  伸縮端
１６    持ち上げ部材
１６１  スピンドル
１６２  推し部
１７    揺動部材
１７１  回転棒
１７２  スイングアーム
２０    組立てベッド板
２１    中段ベッド板
２１１  クランク
２２    下段ベッド板
２２１  可動端
２３    摺動部品
２４    係合部
２５    上段ベッド板
３０    連動部材
３１    結合段
３２    支持段
３３    回転端
【図１】
0003158322.tif 000003
【図２】
0003158322.tif 000004
【図３】
0003158322.tif 000005
【図４】
0003158322.tif 000006
【図５】
0003158322.tif 000007
【図６】
0003158322.tif 000008
【図７】
0003158322.tif 000009
【図８】
0003158322.tif 000010